(57)【要約】      （修正有）【課題】スパイクタイヤは粉塵公害を起すから使えない。氷雪が消えれば、スパイクを自在に引っ込めうるようにすれば、粉塵を発生させることは無い。【解決手段】スパイクを電動機で以て繰り出したり繰り入れたりするようにして、それをチューブレスタイヤ内に設け、電源から車輪に設けた２環の集電子とそれへのブラシを以て電気を供給するように為て、その電気供給を運転室内で操縦するようにする。  このようにして、氷雪スリップ問題と粉塵公害問題を解決する。【選択図】なし【特許請求の範囲】
【請求項１】
所謂スパイクタイヤにおいて、
（１）スパイク（滑り止め金具）を必要に応じて自在に出入させうるようにしたい。
（２）然も、運転室内において、その操縦が出来るようにしたい。
（３）それには、スパイクを電動機で以て、繰り出したり繰り入れたりしうるようにすれば宜しかろう。
（４）そのスパイクの先端は楔型（断面がＶ字形）にしたら宜しいかも知れない。
（５）この電動スパイクデバイスをタイヤに適当なスパイク出入孔を設けてタイヤ内に設けたい。
（６）それは螺子で止めれば宜しかろう。
（７）そして、その為のタイヤはチューブレスにすれば宜しい。
（８）電動機への電気供給は、蓄電池などから、各車輪に２環のモーター用集電子を設けそれにブラシで以て通電して為るようにしたい。
斯くの如く、構成された、電動スパイクタイヤｅｌｅｃｔｒｉｃ  ｓｐｉｋｅ  ｔｙｒｅ（ナガイスパイクタイヤ）と呼ぶことにする、操縦自在電動繰出繰入スパイクタイヤ。
【発明の詳細な説明】
【発明の詳細な説明】
【９００００００００１】  私は、スパイクタイヤに取り組んで久しい。昭和６１年１１月２４日に「スパイクタイヤ」を実用新案登録出願している。「タイヤに二重にチューブを設け、外側のチューブと内側のチューブの間にスパイク付板を入れ、スパイクが外側のチューブとタイヤに穴を設けてその穴から外にのぞきうるようにし、スパイクをのぞかす場合には外側のチューブの空気を適当に抜いて内側のチューブに空気を適当に注入し、スパイクを引っ込める場合には内側の空気を適当に抜いて外側のチューブに適当に空気を注入しうるようにしたスパイクタイヤ」でった。  その当時スパイク粉塵公害問題が持ち上がって居たかどうか記憶していないが、兎に角、従来のスパイクタイヤは現在使用を禁止されている。そこで、乗用車には、現在、スタッドレスタイヤが開発されていて、それを使用しているが、凍結路面では殆ど滑り止め効果は無いらしい。また、トラック等の重量車には、使用が認められて居らず、昔通りチェーンを装着する。  昭和６１年の出願当時も、カーもトラックも運転席からスパイクを自由に出し沈め出来るようにしたいと、それは、色々考えたのであるが、タイヤ外のエアーポンポから２本のチューブにエアーを注抜することにこれはと言う工夫が出ず、課題解決を後日に譲って居た。  先日、また、この課題に取り組み、スパイクの突沈をモーターを用いた電動にすることに思い至った。そこで、本発明を「特許請求の範囲」のように構成した次第である。  本発明によって、あらゆる車のタイヤの滑り止め問題は粉塵公害を起さないようにすっきりと解決した。恐らく、本案を凌ぐ考案は以後あるまいと自負している。ここまでの実に１９年間に及ぶ問題解決への意欲の持続は、私の執念であった。この考案の構成過程を出歯亀していて、またぞろ、「テールランプの取付け法」のように暴力的に奪盗しようとして（実は、出願書類の控えの全てを盗賊を使用して窃盗して持ち去って仕舞っている）、これから出願する「木出しトラックター」の明細書の一部に書き込みかけて居た、その原稿をワープロの乾電池を睡眠中に悪戯して消し去って仕舞い、書き進めなくして仕舞った。腹が立ったので、盗めるものなら盗んで見よと、本日まで一週間くらい遊んでいた。しかし、何処へ行っても、私の「電動スパイクタイヤ」は素晴らしいと披露して、（公序良俗違反につき、不掲載）  また、先日、出願した「高圧縮化ガソリンエンジンと完全燃焼化ディーゼルエンジン」は控えコピーを全部とその上に郵便の配達記録の受け取りまでも（公序良俗違反につき、不掲載）の店内と睡眠中の自宅内とで奪盗されてしまった。（公序良俗違反につき、不掲載）  なお、余計なことではあるが、（公序良俗違反につき、不掲載）  電磁波を使用する、創作の類に属する思考の覗き込みや奪盗行為や盗作は、法規を厳しく制定して、絶対に防止されねばならない。また、他人の創作思考過程を覗き込んで、それに色々と口出されるのも大変な迷惑である。  私は、過日、電磁波吸収元素を発見し、それを使用した、防御法を発明している。それら、元素は、「短周期型周期表」の４族に属する「炭素、ケイ素、チタン、ゲルマニウム、ジルコニウム、スズ、ハフニウム、鉛」である。しかし、或いは、Ａ族のチタン、ジルコニウム、ハフニウムは、最外殻電子が４個では無いようであるから、電磁波吸収性が無いかも分からない。この点を明確にしたく思ってはいるが、今の所、元素の性質に関する参考書をよう入手できず、時々思い出しては気を揉んでいる次第である。  そこで、私の経験では、脳に言葉や感覚を撃ち込んだり脳の働きを覗けたりする電磁波は鉛以外では防げ無いように思える。そこで、鉛ガラスの眼鏡と細い鉛線か鉛合金線かの深編笠が出来ないかと考案している。  例のオウム教徒がこの電磁波防御法の研究に総力を傾けたようであるが、何か電子ヘルメットは考案してみたらしいが、電磁波を防ぐことは不可能であったらしい。（公序良俗違反につき、不掲載）  盗まれる他人は、可能な限り盗まれまいとする。終には、創作に全く努力しようとしなくなる。これが、職場や家庭生活の総てに現象化し、文明の進歩は、停滞どころか、衰退に傾く。勿論、文化もそうなる。それは、取りも直さず、経済活動の停滞・衰退を招くことになり、失業は拡大し、生活不安は深刻化し、治安の破壊は防ぎようが無くなる。  本発明など私の膨大な発明を実用化して、所謂景気を回復するには、この悪電磁波を厳重に規制すると友に、国民個人々々が、また、外国人個人々々がこの電磁波を防御できるようにならなくてはならない。  いま、私は、これら私の原稿を本として出版することと、日々荒れ荒む人々の心を簡単に癒すことの出来る最高の手段「歌謡レコード」の実用化と、せめて、鉛ガラスレンズグラスの実用化をと、躍起である。しかし、こうして次から次に、発明を特許出願しなくてはならないので、掛かり切りになれず、どなた達か、多くの手助けを期待している。  しかし、４０年にも及ぶ同和対策社会の柵（しがらみ）は一気には抜け出せ無いらしく、中々応援に駆けつけて貰えない。しかし、徐々に、互いに生活苦に陥り、柵の支配力も低下しつつあるようであるから、徐々に、自己批判を敢行し、禊して、私の協力者になってくれる人たちが出そうだとの予感も確実感と成りつつある。  社会の理想化は、人類全てに憬れである。一人でも多くの人が理想を語りうるように、上に述べた禊を行なって、過去の罪や穢を洗い流し、「清い立場」に蘇って貰いたい。  それには、何はさて置いて、今後、人類の生存環境は、資源とエネルギーに恵まれ続けうるか、或いは、それらの限界に逢着し始めて居るのか、をしっかりと見極めることが大切である。  確かに、アメリカは国内石油生産の枯渇化に直面している。（公序良俗違反につき、不掲載）  小市民たちは、これまでを速やかに潔く（いさぎよく）悔い改め公開自己批判して禊をし、その彼らの犠牲にされないように、次なる新しい時代に安全に移住して行くことが肝心なのでは有るまいか。その為には、それぞれの置かれている現実に偽りを被せようとした癖を悔い改めることである。  安全の保障は、全く、正確に在りのままに現実を誰に対しても語れることにある。自己の不明を語り詫びれる所にこそ獣には存在しない人間の本質的特徴が在ることを素直に理解して貰えれば幸いである。